(57)【要約】【課題】  動作音を低減する。【解決手段】  ソレノイドコイル、可動鉄芯、第１ヨーク、第２ヨークによりなる電磁石装置と、一対の固定端子と、可動接触子と、シャフトと、これらを収納する器体とを備え、電磁石装置により可動鉄芯を一の軸に沿って進退動させることにより、シャフトを介して一対の可動接点を一対の固定接点に対してそれぞれ接離する電磁開閉装置において、一の軸の他端側に挿通孔６１ａを持ち、シャフトにおける一の軸の一端側の部分を挿通して挿通孔６１ａを塞ぎ、器体に対して固定される収納部６１を設け、一の軸に沿ったシャフトの進退動に抵抗となる気体、液体または粒子を収納部６１に充填した。【選択図】図１
2005026182.tif 000002
【特許請求の範囲】
【請求項１】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記一の軸の他端または一端側に挿通孔を持ち、前記シャフトにおける前記一の軸の一端または他端側の部分を挿通してその挿通孔を塞ぎ、固定される収納部を設け、前記一の軸に沿った前記シャフトの進退動に抵抗となる気体、液体または粒子を前記収納部に充填してなることを特徴とする電磁開閉装置。
【請求項２】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記シャフトにおける前記一の軸の一端または他端側の部分をその側面から狭持し、固定される狭持部を設け、それら側面および狭持部間に摩擦部材を介設してなることを特徴とする電磁開閉装置。
【請求項３】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記一の軸の他端または一端側に開口を持ち、固定される収納部を設け、永久磁石で保持される磁性流体またはＭＲ流体を前記収納部に収納し、前記磁性流体またはＭＲ流体中に前記シャフトにおける一の軸の一端または他端側の部分を浸してなることを特徴とする電磁開閉装置。
【請求項４】
前記シャフトにおける前記一の軸の一端または他端側の部分に、前記収納部の内面に当接ないし近接するフランジを形成し、このフランジに貫通孔を穿設し、この貫通孔を、前記一の軸の一端または他端側から閉じる弁を設けてなることを特徴とする請求項１記載の電磁開閉装置。
【請求項５】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記一の軸の一端側に開口を有する有底筒状の案内筒を前記中空部に設け、その案内筒内における前記可動鉄芯の周囲に粘性を持つ液体を充填してなることを特徴とする電磁開閉装置。
【請求項６】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動接点が前記固定接点に対して接離する際に、固定された固定部分に弾性接触する弾性体を、前記可動鉄芯、前記シャフトおよび前記可動接触子の少なくとも一つの可動部に設けてなることを特徴とする電磁開閉装置。
【請求項７】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動鉄芯、前記シャフトおよび前記可動接触子の少なくとも一つの可動部に、弾性変形することにより前記一の軸に沿って振動する質量体を固定してなることを特徴とする電磁開閉装置。
【請求項８】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
固定される固定部に突起を設け、前記可動鉄芯および前記シャフトの少なくとも一方に、前記突起と係合する螺旋の一部形状のスリットを設けてなることを特徴とする電磁開閉装置。
【請求項９】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記第１ヨーク側と前記可動鉄芯との各対向面に段差を設けてなることを特徴とする電磁開閉装置。
【請求項１０】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記ソレノイドコイルを、インダクタンス値の異なる複数のコイルで構成し、これら複数のコイルを、互いに磁束を打ち消しあう向きに並列に接続してなることを特徴とする電磁開閉装置。
【請求項１１】
前記複数のコイルの一つに、吸引力が０に降下したあとにオフとなるスイッチを直列に接続してなることを特徴とする請求項１０記載の電磁開閉装置。
【請求項１２】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動鉄芯が衝突する面に、編線シートを配置してなることを特徴とする電磁開閉装置。
【請求項１３】
前記編線シートを構成する線は磁性体からなることを特徴とする請求項１２記載の電磁開閉装置。
【請求項１４】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動鉄芯が衝突する面にフィルムシートを設け、このフィルムシートの内部に磁性流体またはＭＲ流体を封入してなることを特徴とする電磁開閉装置。
【請求項１５】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動鉄芯、前記シャフトおよび前記可動接触子の少なくとも一つの可動部が衝突する箇所に、液体を内部に封入した封入物を設けてなることを特徴とする電磁開閉装置。
【請求項１６】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動鉄芯が衝突する面に、弾性を持つ磁性部材を配置してなることを特徴とする電磁開閉装置。
【請求項１７】
前記磁性部材は、磁性ゴム、磁性プラスチック、ゴムマグネットまたはプラスチックマグネットにより構成されることを特徴とする請求項１６記載の電磁開閉装置。
【請求項１８】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動鉄芯が衝突する面に、磁性材料からなる制振鋼板を配置してなることを特徴とする電磁開閉装置。
【請求項１９】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記可動鉄芯およびこれが衝突する前記第１ヨーク側の少なくとも一方を、弾性を持つ磁性部材により構成してなることを特徴とする電磁開閉装置。
【請求項２０】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
前記電磁石装置の駆動時に振動が発生する箇所を点または非常に小さい面で支持することを特徴とする電磁開閉装置。
【請求項２１】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
取付部に取り付けられる取付面に、振動抑制部材を設け、前記取付面側に、挿通孔を持つ取付台を形成し、その挿通孔に挿通されて前記取付部に締結固定する締結部材に、弾性締結用の弾性部材を付加してなることを特徴とする電磁開閉装置。
【請求項２２】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
取付部に取り付けられる取付面側に、挿通孔を持つ取付台を形成し、その挿通孔に制振鋼板性のパイプを挿入し、このパイプを介在させた状態で前記取付台の挿通孔に締結部材を挿通して前記取付部に締結固定してなることを特徴とする電磁開閉装置。
【請求項２３】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
取付部に取り付けられる取付面側に、挿通孔を持つ取付台を形成し、この取付台の取付面側に、磁性流体またはＭＲ流体を封入した軟性の輪状部材を設け、この輪状部材内および前記取付台の挿通孔に締結部材を挿通して前記取付部に締結固定し、前記輪状部材は、前記電磁石装置の通電時にその磁場で前記電磁石装置の非通電時よりも硬くなり、前記電磁石装置の非通電時に前記電磁石装置の通電時よりも軟らかくなることを特徴とする電磁開閉装置。
【請求項２４】
一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置であって、
取付部に取り付けられる取付面側に、挿通孔を持つ取付台を形成し、この取付台の取付面側に、ＥＲ流体を封入した軟性の輪状部材を設け、この輪状部材内および前記取付台の挿通孔に締結部材を挿通して前記取付部に締結固定し、前記輪状部材は、前記電磁石装置の通電時に電圧で前記電磁石装置の非通電時よりも硬くなり、前記電磁石装置の非通電時に前記電磁石装置の通電時よりも軟らかくなることを特徴とする電磁開閉装置。
【請求項２５】
前記一の軸の他端側に開口を持つ箱状に形成され、底部に前記一対の固定端子の各固定接点側を挿通するための挿通孔を有し、前記可動接触子を取り囲む囲み部材を設け、この囲む囲み部材と前記第１ヨークとにより消弧空間を設け、前記第１ヨークを、固定鉄芯を兼ねる構成としたことを特徴とする請求項１から２４のいずれかに記載の電磁開閉装置。
【発明の詳細な説明】
【技術分野】
【０００１】
本発明は、例えば、電力で走行する移動体において電路の開閉に用いられる電磁開閉装置に関するものである。
【背景技術】
【０００２】
図２４は従来の電磁開閉装置の構成図である（特許文献１参照）。この図に示す電磁開閉装置は、樹脂製の器体１、電磁石装置２、一対の固定端子３，３、可動接触子４およびシャフト５などにより構成されている。
【０００３】
器体１は、開口（図２４（ｃ）では左方を向いている）を有する箱状に形成されたボディ１０と、開口（同図では右方を向いている）を有する箱状に形成されボディ１０の開口を閉塞するカバー１１とにより構成され、一対の固定端子３，３の各接続部３０を外部に露出させた状態で、一対の固定端子３，３の固定接点３１，３１側を内部に収納するとともに、電磁石装置２、可動接触子４およびシャフト５などを内部に収納している。
【０００４】
電磁石装置２は、円筒状に形成され両端部にそれぞれ一対の外向きフランジを有するボビン２０と、この一の軸周りとなるボビン２０の外周面に巻設されるソレノイドコイル２１と、一の軸に沿って移動自在にボビン２０の中空部に設けられる可動鉄芯２２と、一の軸の一端側（図２４（ａ）では上側）を向くソレノイドコイル２１の一の端面側に設けられ一の軸上に挿通孔２３ａを持つヨーク２３と、一の軸の他端側（下側）を向くソレノイドコイル２１の他の端面側に設けられるヨーク２４と、可動鉄芯２２における一の軸の一端側に形成された凹所２２ａとヨーク２３との間に介設され、可動鉄芯２２を一の軸の他端側に付勢するばね２５とにより構成されている。
【０００５】
ヨーク２３は、平板状に形成され、一の軸の他端側に屈曲する凹部を中央に有し、その凹部の中心に挿通孔２３ａが形成されている。一方、ヨーク２４は、中央に孔を有する底部と、この底部の内周縁に一の軸の一端側に向けて立設される内壁部と、底部の外周縁に一の軸の一端側に向けて立設される外壁部とを一体に有する形状に形成されている。なお、図２４（ａ）において、Ｌ１，Ｌ１は、ソレノイドコイル２１の両端にそれぞれ接続された一対の引出線である。
【０００６】
固定端子３は、平角矩形状の導電板を断面コ字状に屈曲して構成され、接続部３０を一の軸の一端側に有するとともに、固定接点３１を一の軸の他端側に有している。接続部３０には、ボルトＢ挿通用の挿通孔が穿設され、そこにボルトＢおよびナットＮの一対の締結部材が取り付けられている。
【０００７】
可動接触子４は、平角長尺状の導電板の中央部を一の軸の他端側にコ字状に屈曲して構成され、一対の固定端子３，３の固定接点３１，３１に対してそれぞれ接離する一対の可動接点４１，４１を両端に有している。
【０００８】
シャフト５は、ばね５０により、一対の可動接点４１，４１を一対の固定接点３１，３１の側に付勢した状態で一の軸に沿って移動自在に、可動接触子４の中央部を保持する保持部５１と、この保持部５１から一の軸の他端側に伸びてヨーク２３の挿通孔２３ａを通り可動鉄芯２２に固定される連結軸５２とを一体に有する形状に構成されている。
【０００９】
上記構成の電磁開閉装置を、例えば電気自動車に使用した場合に、電磁石装置２により可動鉄芯２２を一の軸に沿って進退動させると、シャフト５を介して、可動接触子４の一対の可動接点４１，４１が一対の固定端子３，３の固定接点３１，３１に対してそれぞれ接離する。つまり、一対の引出線Ｌ１，Ｌ１に通電をして、可動鉄芯２２を一の軸に沿って進出させると、一対の可動接点４１，４１が一対の固定端子３，３の固定接点３１，３１にそれぞれ接触する。一方、上記通電を停止して、電磁石装置２のばね２５により可動鉄芯２２を一の軸に沿って退行させると、一対の可動接点４１，４１が一対の固定端子３，３の固定接点３１，３１からそれぞれ離隔する。これにより、一対の固定端子３，３の接続部３０，３０間が可動接触子４を介して電気的に開閉し、電路が開閉されることになる。
【特許文献１】特開２００２−４２６２８号公報
【発明の開示】
【発明が解決しようとする課題】
【００１０】
上記のように、電磁開閉装置を電気自動車に使用する場合には、従来のガソリン等のエンジンに比べて、モータ音が静かであることから、室内環境を好適に保つには、電磁開閉装置などの動作音を低減することが望まれる。
【００１１】
本発明は、上記事情に鑑みてなされたものであり、動作音を低減することができる電磁開閉装置を提供することを目的とする。
【課題を解決するための手段】
【００１２】
請求項１から２５に記載の各発明は、一の軸周りに巻設されその一の軸に中空部を持つソレノイドコイル、前記一の軸に沿って移動自在に前記中空部に設けられる可動鉄芯、前記一の軸の一端側を向く前記ソレノイドコイルの一の端面側に設けられ前記一の軸上に挿通孔を持つ第１ヨーク、および前記一の軸の他端側を向く前記ソレノイドコイルの他の端面側に設けられる第２ヨークによりなる電磁石装置と、それぞれが接続部を前記一の軸の一端側に有するとともに固定接点を前記一の軸の他端側に有する一対の固定端子と、これら一対の固定端子の固定接点に対してそれぞれ接離する一対の可動接点を両端に有する可動接触子と、前記可動接触子を保持する保持部、およびこの保持部から前記一の軸の他端側に伸びて前記第１ヨークの挿通孔を通り前記可動鉄芯に固定される連結軸を有するシャフトと、前記可動接点および前記固定接点を収納する囲み部材とを備え、前記電磁石装置により前記可動鉄芯を前記一の軸に沿って進退動させることにより、前記シャフトを介して前記一対の可動接点を前記一対の固定接点に対してそれぞれ接離する電磁開閉装置である。
【００１３】
そして、請求項１記載の発明は、前記一の軸の他端または一端側に挿通孔を持ち、前記シャフトにおける前記一の軸の一端または他端側の部分を挿通してその挿通孔を塞ぎ、固定される収納部を設け、前記一の軸に沿った前記シャフトの進退動に抵抗となる気体、液体または粒子を前記収納部に充填してなることを特徴とする。この構成では、シャフトの進退動に気体、液体または粒子の抵抗力が働くことにより、可動接点が固定接点に対して接離する際の衝撃を和らげることができ、動作音を低減することができる。また、可動接点が固定接点に対して接離する時以外は、気体、液体または粒子の抵抗力が働かないので、常時余分な力が作用して電磁開閉装置の耐振動性の低下または駆動電圧の増加などの性能低下を防止することができる。
【００１４】
請求項２記載の発明は、前記シャフトにおける前記一の軸の一端または他端側の部分をその側面から狭持し、固定される狭持部を設け、それら側面および狭持部間に摩擦部材を介設してなることを特徴とする。この構成では、シャフトの進退動に、摩擦部材による摩擦力が働くことにより、可動接点が固定接点に対して接離する際の衝撃を和らげることができ、動作音を低減することができる。また、可動接点が固定接点に対して接離する時以外は、摩擦部材による摩擦力が働かないので、常時余分な力が作用して電磁開閉装置の耐振動性の低下または駆動電圧の増加などの性能低下を防止することができる。
【００１５】
請求項３記載の発明は、前記一の軸の他端または一端側に開口を持ち、固定される収納部を設け、永久磁石で保持される磁性流体またはＭＲ流体を前記収納部に収納し、前記磁性流体またはＭＲ流体中に前記シャフトにおける一の軸の一端または他端側の部分を浸してなることを特徴とする。この構成では、シャフトの進退動に磁性流体またはＭＲ流体の抵抗力が働くことにより、可動接点が固定接点に対して接離する際の衝撃を和らげることができ、動作音を低減することができる。また、可動接点が固定接点に対して接離する時以外は、磁性流体またはＭＲ流体の抵抗力が働かないので、常時余分な力が作用して電磁開閉装置の耐振動性の低下または駆動電圧の増加などの性能低下を防止することができる。さらに、収納部を密閉構造にする必要が無く、製造が簡単になる。
【００１６】
請求項４記載の発明は、請求項１記載の電磁開閉装置において、前記シャフトにおける前記一の軸の一端または他端側の部分に、前記収納部の内面に当接ないし近接するフランジを形成し、このフランジに貫通孔を穿設し、この貫通孔を、前記一の軸の一端または他端側から閉じる弁を設けてなることを特徴とする。この構成では、シャフトが一の軸の一端側に動くとき、収納部内の気体、液体または粒子の抵抗力により可動接触子の移動速度を減速させることができる。一方、シャフトが一の軸の他端側に動くとき、弁が開くことにより、可動接触子の移動速度の減速を抑えることができる。ここで、可動接点が固定接点から離隔する方向に可動接触子が移動する場合、その移動する速度を減速すると、電磁開閉装置としての性能が低下するが、本発明のように、弁を開いて可動接触子の移動速度の減速を抑えることにより、電磁開閉装置の性能を低下させることなく、動作音を低減することができる。
【００１７】
請求項５記載の発明は、前記一の軸の一端側に開口を有する有底筒状の案内筒を前記中空部に設け、その案内筒内における前記可動鉄芯の周囲に粘性を持つ液体を充填してなることを特徴とする。この構成では、可動鉄芯の周囲に例えば粘性の高い液体を満たすことにより、可動鉄芯の進退動に液体の抵抗力が働くことにより、可動接点が固定接点に対して接離する際の衝撃を和らげることができ、動作音を低減することができるほか、衝撃によって発生する振動を抑制することができる。また、可動接点が固定接点に対して接離する時以外は、液体の抵抗力が働かないので、常時余分な力が作用して電磁開閉装置の耐振動性の低下または駆動電圧の増加などの性能低下を防止することができる。
【００１８】
請求項６記載の発明は、前記可動接点が前記固定接点に対して接離する際に、固定された固定部分に弾性接触する弾性体を、前記可動鉄芯、前記シャフトおよび前記可動接触子の少なくとも一つの可動部に設けてなることを特徴とする。この構成では、可動部に設けられた弾性体が、固定された固定部分に弾性接触することにより、可動部の速度を妨げずに、可動接点が固定接点に対して接離する際の衝撃を和らげることができ、動作音を低減することができる。また、可動部の速度を妨げずに、必要な位置での可動部の速度を確保することができるので、電磁開閉装置の性能を好適に維持することができる。
【００１９】
請求項７記載の発明は、前記可動鉄芯、前記シャフトおよび前記可動接触子の少なくとも一つの可動部に、弾性変形することにより前記一の軸に沿って振動する質量体を固定してなることを特徴とする。ここで、可動部の質量をＭ、質量体の質量をｍとすると、質量体が完全固定されている場合、可動部は１／２・（Ｍ＋ｍ）ｖ2のエネルギーをもち、可動接点が固定接点に衝突する。本発明では、質量体は衝突後も１／２・ｍｖ2のエネルギーを持って運動を続けるので、振動エネルギーが１／２・Ｍｖ2に低減される。これにより、電磁開閉装置が駆動する際の動作音を低減することができる。
【００２０】
請求項８記載の発明は、固定される固定部に突起を設け、前記可動鉄芯および前記シャフトの少なくとも一方に、前記突起と係合する螺旋の一部形状のスリットを設けてなることを特徴とする。この構成では、可動鉄芯およびシャフトの少なくとも一方が、一の軸に沿って移動する際、一の軸回りに回転するようになり、一の軸に沿って移動するエネルギーの一部が一の軸回りに回転するエネルギーに消費されるので、可動接点が固定接点に対して接離する際の衝撃を和らげることができ、動作音を低減することができる。
【００２１】
請求項９記載の発明は、前記第１ヨーク側と前記可動鉄芯との各対向面に段差を設けてなることを特徴とする。この構成では、各対向面の離隔距離が段差の高さ以下になったとき、水平方向（吸引力に対して垂直な方向）に流れる磁束が増加し、可動鉄芯が第１ヨーク側に衝突する直前での吸引力が減少するので、可動接点が固定接点に衝突する際の衝撃を和らげることができ、動作音を低減することができる。
【００２２】
請求項１０記載の発明は、前記ソレノイドコイルを、インダクタンス値の異なる複数のコイルで構成し、これら複数のコイルを、互いに磁束を打ち消しあう向きに並列に接続してなることを特徴とする。この構成では、時定数が違うため、並列に接続した両コイルに電流を流したとき、各コイルに流れる電流の立ち上がりスピードが異なり、両コイルの磁束が等しくなったときに吸引力が０となるため、可動鉄芯の駆動時にその動作速度を抑制することができ、動作音を低減することができる。
【００２３】
請求項１１記載の発明は、請求項１０記載の電磁開閉装置において、前記複数のコイルの一つに、吸引力が０に降下したあとにオフとなるスイッチを直列に接続してなることを特徴とする。この構成では、スイッチが直列に接続されたコイルには、常に他方のコイルに対して妨げる方向に磁束が発生するので、スイッチをオフにすることにより、吸引力が０に降下したあとに吸引力を強くすることができる。
【００２４】
請求項１２記載の発明は、前記可動鉄芯が衝突する面に、編線シートを配置してなることを特徴とする。この構成では、可動鉄芯が編線シートに衝突したとき、衝突エネルギーの一部が、編線が互いに擦れ合って発生する熱エネルギーに変わるので、その分、動作音を低減することができる。
【００２５】
請求項１３記載の発明は、請求項１２記載の電磁開閉装置において、前記編線シートを構成する線は磁性体からなることを特徴とする。この構成では、吸着面での磁気ギャップを小さくすることができるため、電磁石装置の吸引力を大きくできる。
【００２６】
請求項１４記載の発明は、前記可動鉄芯が衝突する面にフィルムシートを設け、このフィルムシートの内部に磁性流体またはＭＲ流体を封入してなることを特徴とする。この構成では、フィルムシートにより、可動鉄芯が衝突する際に発生する衝撃を和らげることができるので、動作音を低減することができる。また、吸着面での磁気ギャップを小さくすることができるため、電磁石装置の吸引力を大きくできる。
【００２７】
請求項１５記載の発明は、前記可動鉄芯、前記シャフトおよび前記可動接触子の少なくとも一つの可動部が衝突する箇所に、液体を内部に封入した封入物を設けてなることを特徴とする。この構成では、可動部が衝突する際の衝撃を、封入物内の液体の粘性によって和らげることができるので、動作音を低減することができる。
【００２８】
請求項１６記載の発明は、前記可動鉄芯が衝突する面に、弾性を持つ磁性部材を配置してなることを特徴とする。この構成では、弾性を持つ磁性部材に可動鉄芯が衝突することにより、衝突時の衝撃を和らげることができるので、動作音を低減することができる。また、磁性部材が磁性を持った材料であるため、磁気ギャップを小さくでき、電磁石装置の吸引力を大きくできる。
【００２９】
請求項１７記載の発明は、請求項１６記載の電磁開閉装置において、前記磁性部材は、磁性ゴム、磁性プラスチック、ゴムマグネットまたはプラスチックマグネットにより構成されることを特徴とする。この構成では、磁性部材がゴムマグネットまたはプラスチックマグネットにより構成される場合には、磁性部材から磁束が発生するため、電磁石装置の吸引力をさらに大きくすることができる。
【００３０】
請求項１８記載の発明は、前記可動鉄芯が衝突する面に、磁性材料からなる制振鋼板を配置してなることを特徴とする。この構成では、制振鋼板を配置することにより、可動鉄芯が衝突する際の衝撃を和らげることができるので、動作音を低減することができる。また、磁気ギャップを減らすことができ、電磁石装置の吸引力を大きくできる。
【００３１】
請求項１９記載の発明は、前記可動鉄芯およびこれが衝突する前記第１ヨーク側の少なくとも一方を、弾性を持つ磁性部材により構成してなることを特徴とする。この構成では、例えば、磁性ゴム、磁性プラスチック、ゴムマグネット、プラスチックマグネット、磁性の制振鋼板、弾性を有する磁石などで磁性部材を構成することにより、可動鉄芯が衝突する際の衝撃を和らげることができるので、動作音を低減することができる。また、磁気ギャップを減らすことができ、電磁石装置の吸引力を大きくできる。さらに、部品点数を減らすことができ、加工・コストの面で有利となる。
【００３２】
請求項２０記載の発明は、前記電磁石装置の駆動時に振動が発生する箇所を点または非常に小さい面で支持することを特徴とする。この構成では、電磁石装置の駆動時に振動が発生する箇所が点または非常に小さい面で支持されるので、振動の伝搬経路が少なくなり、振動で発生する動作音を低減することができる。
【００３３】
請求項２１記載の発明は、取付部に取り付けられる取付面に、振動抑制部材を設け、前記取付面側に、挿通孔を持つ取付台を形成し、その挿通孔に挿通されて前記取付部に締結固定する締結部材に、弾性締結用の弾性部材を付加してなることを特徴とする。ここで、電磁開閉装置を取付部に固定すると、電磁開閉装置の駆動時の音が振動となって取付部に伝わり、取付部から大きな音が発生するところ、本発明によれば、振動抑制部材が取付面と取付部との間に介在することにより、動作音を低減することができる。また、締結部材の締結が緩む原因となる振動の多い移動体に使用されても、弾性締結用の弾性部材を締結部材に付加することにより、締結が緩むのを防止することができるほか、振動を抑制することも可能となる。
【００３４】
請求項２２記載の発明は、取付部に取り付けられる取付面側に、挿通孔を持つ取付台を形成し、その挿通孔に制振鋼板性のパイプを挿入し、このパイプを介在させた状態で前記取付台の挿通孔に締結部材を挿通して前記取付部に締結固定してなることを特徴とする。この構成では、電磁開閉装置から取付部に伝搬する振動を低減することができるので、動作音を低減することができる。また、請求項２１記載の発明よりも部品点数の削減が可能となる。
【００３５】
請求項２３記載の発明は、取付部に取り付けられる取付面側に、挿通孔を持つ取付台を形成し、この取付台の取付面側に、磁性流体またはＭＲ流体を封入した軟性の輪状部材を設け、この輪状部材内および前記取付台の挿通孔に締結部材を挿通して前記取付部に締結固定し、前記輪状部材は、前記電磁石装置の通電時にその磁場で前記電磁石装置の非通電時よりも硬くなり、前記電磁石装置の非通電時に前記電磁石装置の通電時よりも軟らかくなることを特徴とする。この構成では、輪状部材を設けることにより、動作音を低減することができる。また、電磁石装置の駆動時には輪状部材を硬めに、電磁石装置の非駆動時には輪状部材を軟らかめにすることができるので、例えば電気自動車に好適となる。すなわち、可動接点が固定接点に対して接触する前は、電気自動車は停車しており、輪状部材が軟らかめであることにより、可動接点が固定接点に対して接触したとき、電気自動車の取付部への振動の伝搬を抑制することができる。そして、走行中は電磁開閉装置を取付部にきつめに固定して共振などを防止することができ、可動接点が固定接点に対して離隔した後、輪状部材が軟らかくなることにより、取付部への振動の伝搬を抑制することができる。
【００３６】
請求項２４記載の発明は、取付部に取り付けられる取付面側に、挿通孔を持つ取付台を形成し、この取付台の取付面側に、ＥＲ流体を封入した軟性の輪状部材を設け、この輪状部材内および前記取付台の挿通孔に締結部材を挿通して前記取付部に締結固定し、前記輪状部材は、前記電磁石装置の通電時に電圧で前記電磁石装置の非通電時よりも硬くなり、前記電磁石装置の非通電時に前記電磁石装置の通電時よりも軟らかくなることを特徴とする。この構成では、輪状部材を設けることにより、動作音を低減することができる。しかも、電磁石装置の通電時には輪状部材を硬めに、電磁石装置の非通電時には輪状部材を軟らかめにすることができるので、電気自動車に好適となる。
【００３７】
請求項２５記載の発明は、請求項１から２４のいずれかに記載の電磁開閉装置において、前記一の軸の他端側に開口を持つ箱状に形成され、底部に前記一対の固定端子の各固定接点側を挿通するための挿通孔を有し、前記可動接触子を取り囲む囲み部材を設け、この囲む囲み部材と前記第１ヨークとにより消弧空間を設け、前記第１ヨークを、固定鉄芯を兼ねる構成としたことを特徴とする。この構成では、囲み部材と第１ヨークとにより消弧空間を設けたので、一の軸方向の寸法を短縮することができ、負荷電圧が低い場合に絶縁距離を短くできる。また、第１ヨークを、固定鉄芯を兼ねた構成にしたので、固定鉄芯を有する構造と比較してコスト低減が可能となる。
【発明の効果】
【００３８】
本発明によれば、動作音を低減することができる。
【発明を実施するための最良の形態】
【００３９】
（実施形態１）
図１は本発明による実施形態１の電磁開閉装置の一部断面図、図２は本発明による各実施形態の電磁開閉装置の基本構成図である。
【００４０】
まず、実施形態１および後述する各実施形態で共通となる基本的な構成について説明する。各実施形態の電磁開閉装置は、基本的な構成として、図２に示すように、器体１（図２では図示せず）、電磁石装置２、一対の固定端子３，３、可動接触子４およびシャフト５などを、図２４の電磁開閉装置とほぼ同様に備えているほか、例えばセラミックスなどの絶縁材料により一の軸の他端側に開口６ａを持つ箱状に形成され、底部６０に一対の固定端子３，３の各固定接点３１側を挿通嵌合するための挿通孔６０ａを有し可動接触子４を取り囲む囲み部材６を備えている。ただし、固定端子３は、ボルト状に形成され、一の軸の一端側にねじ部の接続部３０を配置し、一の軸の他端側の頭部先端に固定接点３１を備えている。
【００４１】
そして、実施形態１の電磁開閉装置は、図１に示すように、一の軸の他端側に挿通孔６１ａを持ち、シャフト５における一の軸の一端側の先端部分を挿通して挿通孔６１ａを塞ぎ、器体１に対して固定される収納部６１を、囲み部材６の底部６０の中央に設け、一の軸に沿ったシャフト５の進退動に抵抗となる気体、液体または粒子を収納部６１に充填してなることを特徴とする。
【００４２】
シャフト５における一の軸の一端側の先端部分には、収納部６１の内面に当接ないし近接するフランジ５３が形成され、そのフランジ５３には、貫通孔５３ａが穿設されている。また、収納部６１の挿通孔６１ａには、栓６１１が設けられている。
【００４３】
上記構成の実施形態１では、シャフト５の進退動に気体、液体または粒子の抵抗力が働くことにより、可動接点４１が固定接点３１に対して接離する際の衝撃を和らげることができ、動作音を低減することができる。
【００４４】
また、可動接点４１が固定接点３１に対して接離する時以外は、気体、液体または粒子の抵抗力が働かないので、常時余分な力が作用して電磁開閉装置の耐振動性の低下または駆動電圧の増加などの性能低下を防止することができる。
【００４５】
なお、実施形態１では、一の軸の他端に挿通孔を持ち、シャフトにおける一の軸の一端側の部分を挿通してその挿通孔を塞ぎ、器体に対して固定される収納部を設け、一の軸に沿ったシャフトの進退動に抵抗となる気体、液体または粒子を収納部に充填した構成になっているが、一の軸の一端側に挿通孔を持ち、シャフトにおける一の軸の他端側の部分を挿通してその挿通孔を塞ぎ、器体に対して固定される収納部を設け、一の軸に沿ったシャフトの進退動に抵抗となる気体、液体または粒子を収納部に充填した構成でもよい。この構成でも、実施形態１と同様の効果を奏することができる。
【００４６】
（実施形態２）
図３は本発明による実施形態２の電磁開閉装置の一部断面図である。
【００４７】
実施形態２の電磁開閉装置は、図３に示すように、実施形態１と同様に、一の軸の他端側に挿通孔６１ａを持つ収納部６１を、囲み部材６の底部６０の中央に設け、その挿通孔６１ａを、シャフト５における一の軸の一端側の先端部分をその側面から狭持する狭持部とし、それら側面および狭持部間に高摩擦部材６２を介設してなることを特徴とする。
【００４８】
高摩擦部材６２としては、例えば車両のブレーキなどで用いられている高摩擦材・摺動材を使用することができる。高摩擦部材６２は、上記先端部分の側面および狭持部としての挿通孔６１ａの少なくとも一方に固定すればよい。
【００４９】
上記構成の実施形態２では、シャフト５の進退動に、高摩擦部材６２による摩擦力が働くことにより、可動接点４１が固定接点３１に対して接離する際の衝撃を和らげることができ、動作音を低減することができる。
【００５０】
また、可動接点４１が固定接点３１に対して接離する時以外は、高摩擦部材６２による摩擦力が働かないので、常時余分な力が作用して電磁開閉装置の耐振動性の低下または駆動電圧の増加などの性能低下を防止することができる。
【００５１】
なお、実施形態２では、シャフトにおける一の軸の一端側の部分をその側面から狭持し、器体に対して固定される狭持部を設け、それら側面および狭持部間に摩擦部材を介設した構成になっているが、シャフトにおける一の軸の他端側の部分をその側面から狭持し、器体に対して固定される狭持部を設け、それら側面および狭持部間に摩擦部材を介設した構成でもよい。この構成でも、実施形態２と同様の効果を奏することができる。
【００５２】
（実施形態３）
図４は本発明による実施形態３の電磁開閉装置の一部断面図である。
【００５３】
実施形態３の電磁開閉装置は、図４に示すように、一の軸の他端側に開口を持つ収納部６１を、囲み部材６の底部６０の中央に設け、永久磁石６３で保持される磁性流体またはＭＲ流体を収納部６１に収納し、この磁性流体またはＭＲ流体中にシャフト５における一の軸の一端側の部分を浸してなることを特徴とする。
【００５４】
上記構成の実施形態３では、シャフト５の進退動に磁性流体またはＭＲ流体の抵抗力が働くことにより、可動接点４１が固定接点３１に対して接離する際の衝撃を和らげることができ、動作音を低減することができる。
【００５５】
また、可動接点４１が固定接点３１に対して接離する時以外は、磁性流体またはＭＲ流体の抵抗力が働かないので、常時余分な力が作用して電磁開閉装置の耐振動性の低下または駆動電圧の増加などの性能低下を防止することができる。
【００５６】
さらに、収納部６１を密閉構造にする必要が無く、製造が簡単になる。
【００５７】
なお、実施形態３では、一の軸の他端側に開口を持ち、器体に対して固定される収納部を設け、永久磁石で保持される磁性流体またはＭＲ流体を収納部に収納し、磁性流体またはＭＲ流体中にシャフトにおける一の軸の一端側の部分を浸した構成になっているが、一の軸の一端側に開口を持ち、器体に対して固定される収納部を設け、永久磁石で保持される磁性流体またはＭＲ流体を収納部に収納し、磁性流体またはＭＲ流体中にシャフトにおける一の軸の他端側の部分を浸した構成でもよい。この構成でも、実施形態３と同様の効果を奏することができる。
【００５８】
（実施形態４）
図５は本発明による実施形態４の電磁開閉装置の一部断面図である。
【００５９】
実施形態４の電磁開閉装置は、図５に示すように、フランジ５３に穿設された貫通孔５３ａを、一の軸の一端側から閉じる弁６４を設けてなることを特徴とする。
【００６０】
上記構成の実施形態４では、シャフト５が一の軸の一端側に動くとき、収納部６１内の気体、液体または粒子の抵抗力により可動接触子４の移動速度を減速させることができる。一方、シャフト５が一の軸の他端側に動くとき、弁６４が開くことにより、可動接触子４の移動速度の減速を抑えることができる。ここで、可動接点４１が固定接点３１から離隔する方向に可動接触子４が移動する場合、その移動する速度を減速すると、電磁開閉装置としての性能が低下するが、実施形態４のように、弁６４を開いて可動接触子４の移動速度の減速を抑えることにより、電磁開閉装置の性能を低下させることなく、動作音を低減することができる。
【００６１】
なお、実施形態４では、シャフトにおける一の軸の一端側の部分に、収納部の内面に当接ないし近接するフランジを形成し、このフランジの貫通孔を、一の軸の一端側から閉じる弁を設けた構成になっているが、シャフトにおける一の軸の他端側の部分に、収納部の内面に当接ないし近接するフランジを形成し、このフランジの貫通孔を、一の軸の他端側から閉じる弁を設けた構成でもよい。この構成でも、実施形態４と同様の効果を奏することができる。
【００６２】
（実施形態５）
図６は本発明による実施形態５の電磁開閉装置の一部断面図である。
【００６３】
実施形態５の電磁開閉装置は、図６に示すように、一の軸の一端側に開口を有する有底筒状の案内筒２６をソレノイドコイル２１の中空部に設け、その案内筒２６内における可動鉄芯２２の周囲に粘性を持つ液体を充填してなることを特徴とする。なお、図６の例では、ヨーク２３の挿通孔２３ａに、一の軸の他端側から嵌合固定される筒状の固定鉄芯２７が設けられ、その固定鉄芯２７も案内筒２６内に収納されている。
【００６４】
上記構成の実施形態５では、可動鉄芯２２の周囲に例えば粘性の高い液体を満たすことにより、可動鉄芯２２の進退動に液体の抵抗力が働くことにより、可動接点４１が固定接点３１に対して接離する際の衝撃を和らげることができ、動作音を低減することができるほか、衝撃によって発生する振動を抑制することができる。
【００６５】
また、可動接点４１が固定接点３１に対して接離する時以外は、液体の抵抗力が働かないので、常時余分な力が作用して電磁開閉装置の耐振動性の低下または駆動電圧の増加などの性能低下を防止することができる。
【００６６】
なお、図７に示すように、案内筒２６の底部２６０に貫通孔を形成し、この貫通孔を一の軸の他端側から閉じる弁２６１を設けるようにすれば、先述の弁６４と同様の効果が得られる。
【００６７】
（実施形態６）
図８は本発明による実施形態６の電磁開閉装置の一部断面図である。
【００６８】
実施形態６の電磁開閉装置は、図８に示すように、可動接点４１が固定接点３１に対して接離する際に、器体１側に固定された凸状の固定部分ＦＰに弾性接触する板ばねの弾性体Ｅを、可動鉄芯２２、シャフト５および可動接触子４の少なくとも一つの可動部ＭＰに設けてなることを特徴とする。
【００６９】
図８では、弾性体Ｅの屈曲する先端部が固定部分ＦＰに当たって撓むことにより発生する弾性力で、可動接点４１が固定接点３１に対して接離する際の衝撃を和らげるようになっている。
【００７０】
上記構成の実施形態６では、可動部ＭＰに設けられた弾性体Ｅが、器体１側に固定された固定部分ＦＰに弾性接触することにより、可動部ＭＰの速度を妨げずに、可動接点４１が固定接点３１に対して接離する際の衝撃を和らげることができ、動作音を低減することができる。
【００７１】
また、可動部ＭＰの速度を妨げずに、必要な位置での可動部ＭＰの速度を確保することができるので、電磁開閉装置の性能を好適に維持することができる。
【００７２】
（実施形態７）
図９は本発明による実施形態７の電磁開閉装置の一部断面図である。
【００７３】
実施形態７の電磁開閉装置は、図９に示すように、可動鉄芯２２、シャフト５および可動接触子４の少なくとも一つの可動部ＭＰに、弾性変形することにより一の軸に沿って振動する質量体（おもり）ｍを固定してなることを特徴とする。
【００７４】
可動部ＭＰの質量をＭ、質量体ｍの質量をｍとすると、質量体ｍが完全固定されている場合、可動部ＭＰは１／２・（Ｍ＋ｍ）ｖ2のエネルギーをもち、可動接点４１が固定接点３１に衝突する。しかし、実施形態７では、質量体ｍは衝突後も１／２・ｍｖ2のエネルギーを持って運動を続けるので、振動エネルギーが１／２・Ｍｖ2に低減される。これにより、電磁開閉装置が駆動する際の動作音を低減することができる。
【００７５】
（実施形態８）
図１０は本発明による実施形態８の電磁開閉装置の一部断面図である。
【００７６】
実施形態８の電磁開閉装置は、図１０に示すように、器体１側に固定される固定部（図ではヨーク２３）に突起２３ｂを設け、可動鉄芯２２およびシャフト５の少なくとも一方（図ではシャフト５）に、突起２３ｂと係合する螺旋の一部形状のスリット５ａを設けてなることを特徴とする。
【００７７】
上記構成の実施形態８では、可動鉄芯２２およびシャフト５の少なくとも一方が、一の軸に沿って移動する際、一の軸回りに回転するようになり、一の軸に沿って移動するエネルギーの一部が一の軸回りに回転するエネルギーに消費されるので、可動接点４１が固定接点３１に対して接離する際の衝撃を和らげることができ、動作音を低減することができる。
【００７８】
（実施形態９）
図１１は本発明による実施形態９の電磁開閉装置の一部断面図、図１２は同電磁開閉装置の動作説明図である。
【００７９】
実施形態９の電磁開閉装置は、図１１に示すように、ヨーク２３側と可動鉄芯２２との各対向面に段差を設けてなることを特徴とする。ここで、ヨーク２３側とは、図２の構成では、ヨーク２３のことであり、図６の構成では固定鉄芯２７のことである。図１１の例では、固定鉄芯２７になっており、固定鉄芯２７に凹部２７ａが形成されている一方、その凹部２７ａに填り込む凸部２２ｂが形成されている。ただし、図１１では、筒状である固定鉄芯２７の挿通孔は図示省略してあり、またその挿通孔を通り可動鉄芯２２に取り付けられるシャフト５も図示省略してある。なお、上記段差における一の軸方向の段差面は垂直でもテーパ状でもよい。
【００８０】
上記構成の実施形態９では、各対向面の離隔距離が段差の高さ以下になったとき、図１１（ｂ）に示すように、水平方向（吸引力に対して垂直な方向）に流れる磁束が増加し、図１２に示すように、可動鉄芯２２がヨーク２３側に衝突する直前での吸引力が減少するので、可動接点４１が固定接点３１に衝突する際の衝撃を和らげることができ、動作音を低減することができる。
【００８１】
（実施形態１０）
図１３は本発明による実施形態１０の電磁開閉装置の回路図、図１４は同電磁開閉装置の動作説明図である。
【００８２】
実施形態１０の電磁開閉装置は、図１３に示すように、ソレノイドコイル２１を、インダクタンス値の異なる複数のコイル２１１，２１２で構成し、これら複数のコイル２１１，２１２を、互いに磁束を打ち消しあう向きに並列に接続してなることを特徴とする。
【００８３】
上記構成の実施形態１０では、時定数が違うため、並列に接続した両コイル２１１，２１２に電流を流したとき（ＳＷオン時）、図１４（ａ），（ｂ）に示すように、各コイルに流れる電流の立ち上がりスピードが異なり、図１４（ｃ）に示すように、両コイル２１１，２１２の磁束が等しくなったときに（図ではＴ１後に）、吸引力が０となるため、可動鉄芯２２の駆動時にその動作速度を抑制することができ、動作音を低減することができる。
【００８４】
（実施形態１１）
本発明による実施形態１１の電磁開閉装置は、実施形態１０において、両コイルの一方のコイル２１２に、吸引力が０に降下したあとに、オフとなるスイッチ（ＭＯＳＦＥＴなど）ＳＷ１を直列に接続してなることを特徴とする。
【００８５】
上記構成の実施形態１１では、スイッチＳＷ１が直列に接続されたコイル２１２には、常に他方のコイル２１１に対して妨げる方向に磁束が発生するので、吸引力が０となる時点またはその前後にスイッチＳＷ１をオフにすることにより、吸引力が０に降下したあとに吸引力を強くすることができる。
【００８６】
（実施形態１２）
図１５は本発明による実施形態１２の電磁開閉装置の一部断面図である。
【００８７】
実施形態１２の電磁開閉装置は、図１５に示すように、可動鉄芯２２が衝突する面（図ではヨーク２３における一の軸の他端側の面）に、金属線・糸などの細線を編んだ例えば平輪状の編線シートＳ１を配置してなることを特徴とする。なお、図１５のＤはダンパゴムである。
【００８８】
上記構成の実施形態１２では、可動鉄芯２２が編線シートＳ１に衝突したとき、衝突エネルギーの一部が、編線が互いに擦れ合って発生する熱エネルギーに変わるので、その分、動作音を低減することができる。
【００８９】
（実施形態１３）
本発明による実施形態１３の電磁開閉装置は、実施形態１２において、編線シートＳ１を構成する線が磁性体からなることを特徴とする。
【００９０】
上記構成の実施形態１３では、吸着面での磁気ギャップを小さくすることができるため、電磁石装置２の吸引力を大きくできる。
【００９１】
（実施形態１４）
図１６は本発明による実施形態１４の電磁開閉装置の一部断面図である。
【００９２】
実施形態１４の電磁開閉装置は、図１６に示すように、可動鉄芯２２が衝突する面（図ではヨーク２３における一の軸の他端側の面）に、中心に孔のあいたドーナツ状のフィルムシートＳ２を設け、このフィルムシートＳ２の内部に磁性流体またはＭＲ流体を封入してなることを特徴とする。そして、フィルムシートＳ２は、例えば２枚の平輪状のシートからなり、磁性流体またはＭＲ流体を収納した状態で、外周部を熱圧着などすることにより封止される。なお、図１６のＤはダンパゴムである。
【００９３】
上記構成の実施形態１４では、フィルムシートＳ２により、可動鉄芯２２が衝突する際に発生する衝撃を和らげることができるので、動作音を低減することができる。
【００９４】
また、吸着面での磁気ギャップを小さくすることができるため、電磁石装置の吸引力を大きくできる。
【００９５】
（実施形態１５）
図１７は本発明による実施形態１５の電磁開閉装置における可動部の一部断面図である。
【００９６】
実施形態１５の電磁開閉装置は、図１７に示すように、可動鉄芯２２、シャフト５および可動接触子４の少なくとも一つの可動部が衝突する箇所に、液体を内部に封入した封入物Ｓ３を設けてなることを特徴とする。
【００９７】
図１７では、中心に孔のあいたドーナツ状の封入物Ｓ３が、先述の収納部６１の挿通孔６１ａに固着され、その挿通孔６１ａとシャフト５における一の軸の一端側の先端部分との間に介在している。そして、シャフト５における収納部６１内の先端にはフランジ５３が設けられ、また、シャフト５における収納部６１外にもフランジ５４が設けられている。
【００９８】
上記構成の実施形態１５では、シャフト５が一の軸に沿って進退動すると、封入物Ｓ３がフランジ５３，５４に押されて収納部６１内外に移動するので、可動部が衝突する際に発生する衝撃を封入物Ｓ３内の液体の粘性によって和らげることができ、動作音を低減することができる。
【００９９】
なお、図１８に示すように、封入物Ｓ３を挿通孔２３ａに設ける構成でも、実施形態１５と同様の効果を奏することができる。
【０１００】
（実施形態１６）
本発明による実施形態１６の電磁開閉装置は、可動鉄芯２２が衝突する面に、弾性を持つ磁性部材を配置してなることを特徴とする。例えば、実施形態１２の編線シートＳ１に代えて（図１５参照）、平輪状の磁性部材を設ければ、磁性部材に可動鉄芯２２が衝突することにより、衝突時の衝撃を和らげることができるので、動作音を低減することができる。また、磁性部材が磁性を持った材料であるため、磁気ギャップを小さくでき、電磁石装置の吸引力を大きくできる。
【０１０１】
（実施形態１７）
本発明による実施形態１７の電磁開閉装置は、実施形態１６において、磁性部材が、磁性ゴム、磁性プラスチック、ゴムマグネットまたはプラスチックマグネットにより構成されることを特徴とする。
【０１０２】
上記構成の実施形態１７でも、実施形態１６と同様の効果が得られる。また、磁性部材がゴムマグネットまたはプラスチックマグネットにより構成される場合には、磁性部材から磁束が発生するため、電磁石装置の吸引力をさらに大きくすることができる。
【０１０３】
（実施形態１８）
本発明による実施形態１８の電磁開閉装置は、可動鉄芯２２が衝突する面に、磁性材料からなる制振鋼板を配置してなることを特徴とする。例えば、実施形態１２の編線シートＳ１に代えて（図１５参照）、若干厚みの厚い平輪状の制振鋼板を設ければ、可動鉄芯２２が衝突する際の衝撃を和らげることができるので、動作音を低減することができる。また、磁気ギャップを減らすことができ、電磁石装置の吸引力を大きくできる。
【０１０４】
（実施形態１９）
本発明による実施形態１９の電磁開閉装置は、可動鉄芯２２およびこれが衝突するヨーク２３側の少なくとも一方を、弾性を持つ磁性部材により構成してなることを特徴とする。ここで、ヨーク２３側とは、図２の構成では、ヨーク２３のことであり、図６の構成では固定鉄芯２７のことである。
【０１０５】
例えば、図１５において、可動鉄芯２２およびヨーク２３（または固定鉄芯２７）の少なくとも一方を、磁性ゴム、磁性プラスチック、ゴムマグネット、プラスチックマグネット、磁性の制振鋼板、弾性を有する磁石などで、弾性を持つ磁性部材を構成することにより、可動鉄芯２２が衝突する際の衝撃を和らげることができるので、動作音を低減することができる。また、磁気ギャップを減らすことができ、電磁石装置の吸引力を大きくできる。さらに、部品点数を減らすことができ、加工・コストの面で有利となる。
【０１０６】
（実施形態２０）
図１９は本発明による実施形態２０の電磁開閉装置の一部断面図である。
【０１０７】
本発明による実施形態２０の電磁開閉装置は、図１９に示すように、電磁石装置２の駆動時に器体１内で振動が発生する箇所をその器体１に対して点で（非常に小さい面で）支持することを特徴とする。
【０１０８】
図１９（ａ）の例では、器体１の底部内面に、上記点に相当し電磁石装置２を支持する複数の突起（ダボ）１ａが設けられている。また、器体１内には、隔壁１２が形成され、その隔壁１２に、上記点に相当し電磁石装置２を支持する複数の突起（ダボ）１２ａが設けられている。図１９（ｂ）の例では、図２４の電磁開閉装置と同様の固定端子３が設けられ、この固定端子３に近接する器体１の内面に、上記点に相当する複数の突起（ダボ）１ａが設けられている。
【０１０９】
上記構成の実施形態２０では、電磁石装置２の駆動時に器体１内で振動が発生する箇所が点で支持されるので、振動の伝搬経路が少なくなり、器体１の表面が振動して発生する動作音を低減することができる。
【０１１０】
（実施形態２１）
図２０は本発明による実施形態２１の電磁開閉装置の一部断面図である。
【０１１１】
本発明による実施形態２１の電磁開閉装置は、図２０に示すように、例えば電気自動車の取付プレートなどの取付部９に取り付けられる器体１の取付面に、シート状の振動抑制部材１３を貼付し、器体１の取付面側に、挿通孔１４ａを持つ取付台１４を形成し、その挿通孔１４ａに挿通されて器体１を取付部９に締結固定するボルトＢおよびナットＮの締結部材に、弾性締結用の弾性部材としてのばねＳＰおよび弾性リングＥＲを付加してなることを特徴とする。振動抑制部材１３および弾性リングＥＲは、ゴムまたはフェルト製である。また、ばねＳＰを挟み込むための一対のワッシャＷ，Ｗが設けられ、取付台１４の挿通孔１４ａには筒状のパイプＰが挿入されている。締結部材による弾性締結力は、振動抑制部材１３の弾性力および取付部９の振動による本電磁開閉装置への衝撃力よりも強くなるように設定される。
【０１１２】
電磁開閉装置の器体を取付部に固定すると、電磁開閉装置の駆動時の音が振動となって取付部に伝わり、取付部から大きな音が発生するところ、上記構成の実施形態２１によれば、振動抑制部材１３が器体１の取付面と取付部９との間に介在することにより、動作音を低減することができる。
【０１１３】
また、締結部材の締結が緩む原因となる振動の多い移動体に使用されても、弾性締結用の弾性部材を締結部材に付加することにより、締結が緩むのを防止することができるほか、振動を抑制することも可能となる。
【０１１４】
（実施形態２２）
図２１は本発明による実施形態２２の電磁開閉装置の一部断面図である。
【０１１５】
本発明による実施形態２２の電磁開閉装置は、図２１に示すように、例えば電気自動車の取付プレートなどの取付部９に取り付けられる器体１の取付面側に、挿通孔１４ａを持つ取付台１４を形成し、その挿通孔１４ａに、筒状に形成され一端に外向きのフランジを持つ制振鋼板性のパイプＰを挿入し、このパイプＰを介在させた状態で、取付台１４の挿通孔１４ａにボルトＢおよびナットＮの締結部材のボルトＢを挿通して、器体１を取付部９に締結固定してなることを特徴とする。なお、Ｗはワッシャである。
【０１１６】
上記構成の実施形態２２では、電磁開閉装置から取付部９に伝搬する振動を低減することができるので、動作音を低減することができる。また、実施形態２１よりも部品点数の削減が可能となる。
【０１１７】
（実施形態２３）
図２２は本発明による実施形態２３の電磁開閉装置の一部断面図である。
【０１１８】
本発明による実施形態２３の電磁開閉装置は、図２２に示すように、例えば電気自動車の取付プレートなどの取付部９に取り付けられる器体１の取付面側に、挿通孔１４ａを持つ取付台１４を形成し、この取付台１４の取付面側に、磁性流体またはＭＲ流体を封入した軟性の袋状の輪状部材１５を設け、この輪状部材１５内および取付台１４の挿通孔１４ａにボルトＢおよびナットＮの締結部材のボルトＢを挿通して、器体１を取付部９に締結固定し、輪状部材１５は、電磁石装置２の通電時にその磁場で電磁石装置２の非通電時よりも硬くなり、電磁石装置２の非通電時に電磁石装置２の通電時よりも軟らかくなることを特徴とする。
【０１１９】
上記構成の実施形態２３では、輪状部材１５を設けることにより、動作音を低減することができる。また、電磁石装置２の駆動時には輪状部材１５を硬めに、電磁石装置２の非駆動時には輪状部材１５を軟らかめにすることができるので、電気自動車に好適となる。すなわち、可動接点４１が固定接点３１に対して接触する前は、電気自動車は停車しており、輪状部材１５が軟らかめであることにより、可動接点４１が固定接点３１に対して接触したとき、電気自動車の取付部９への振動の伝搬を抑制することができる。そして、走行中は電磁開閉装置を取付部９にきつめに固定して共振などを防止することができ、可動接点４１が固定接点３１に対して離隔した後、輪状部材１５が軟らかくなることにより、取付部９への振動の伝搬を抑制することができる。
【０１２０】
（実施形態２４）
本発明による実施形態２４の電磁開閉装置は、実施形態２３における輪状部材１５に、磁性流体またはＭＲ流体に代えてＥＲ流体を封入し、輪状部材１５は、電磁石装置２の通電時に、ＥＲ流体に電圧がかかり電磁石装置２の非通電時よりも硬くなり、電磁石装置２の非通電時に、ＥＲ流体にかかる電圧が無くなり、電磁石装置２の通電時よりも軟らかくなることを特徴とする。
【０１２１】
上記構成の実施形態２４では、輪状部材１５を設けることにより、動作音を低減することができる。また、電磁石装置２の通電時には輪状部材１５を硬めに、電磁石装置２の非通電時には輪状部材１５を軟らかめにすることができるので、電気自動車に好適となる。
【０１２２】
（実施形態２５）
図２３は本発明による実施形態２５の電磁開閉装置の断面図である。
【０１２３】
実施形態２５の電磁開閉装置は、実施形態１から２４のいずれかにおいて、図２に示した囲み部材６とヨーク２３とにより消弧空間を設け、ヨーク２３の中央部を一の軸の他端側に屈曲させて凹部２３０とし、この凹部２３０を固定鉄芯に兼ねる構成としたことを特徴とする。
【０１２４】
上記構成の実施形態２５では、囲み部材６とヨーク２３とにより消弧空間を設けたので、一の軸方向の寸法を短縮することができ、負荷電圧が低い場合に絶縁距離を短くできる。また、ヨーク２３を、固定鉄芯を兼ねる構成にしたので、固定鉄芯を有する構造と比較してコスト低減が可能となる。
【図面の簡単な説明】
【０１２５】
【図１】本発明による実施形態１の電磁開閉装置の一部断面図である。
【図２】本発明による各実施形態の電磁開閉装置の基本構成図である。
【図３】本発明による実施形態２の電磁開閉装置の一部断面図である。
【図４】本発明による実施形態３の電磁開閉装置の一部断面図である。
【図５】本発明による実施形態４の電磁開閉装置の一部断面図である。
【図６】本発明による実施形態５の電磁開閉装置の一部断面図である。
【図７】同電磁開閉装置の別例を示す図である。
【図８】本発明による実施形態６の電磁開閉装置の一部断面図である。
【図９】本発明による実施形態７の電磁開閉装置の一部断面図である。
【図１０】本発明による実施形態８の電磁開閉装置の一部断面図である。
【図１１】本発明による実施形態９の電磁開閉装置の一部断面図である。
【図１２】同電磁開閉装置の動作説明図である。
【図１３】本発明による実施形態１０の電磁開閉装置の回路図である。
【図１４】同電磁開閉装置の動作説明図である。
【図１５】本発明による実施形態１２の電磁開閉装置の断面図である。
【図１６】本発明による実施形態１４の電磁開閉装置の断面図である。
【図１７】本発明による実施形態１５の電磁開閉装置の一部断面図である。
【図１８】同電磁開閉装置の別例を示す図である。
【図１９】本発明による実施形態２０の電磁開閉装置の断面図である。
【図２０】本発明による実施形態２１の電磁開閉装置の一部断面図である。
【図２１】本発明による実施形態２２の電磁開閉装置の一部断面図である。
【図２２】本発明による実施形態２３の電磁開閉装置の一部断面図である。
【図２３】本発明による実施形態２５の電磁開閉装置の断面図である。
【図２４】従来の電磁開閉装置の構成図である。
【符号の説明】
【０１２６】
１  器体
１０  ボディ
１１  カバー
１２  隔壁
１３  振動抑制部材
１４  取付台
２  電磁石装置
２０  ボビン
２１  ソレノイドコイル
２２  可動鉄芯
２３，２４  ヨーク
２３ａ  挿通孔
２３ｂ  突起
２３０  凹部
２５  ばね
２６  案内筒
２６１  弁
２７  固定鉄芯
３  固定端子
３０  接続部
３１  固定接点
４  可動接触子
４１  可動接点
５  シャフト
５ａ  スリット
５０  ばね
５１  保持部
５２  連結軸
５３  フランジ
６  囲み部材
６０  底部
６１  収納部
６２  摩擦部材
６３  永久磁石
６４  弁
【図１】
2005026182.tif 000003
【図２】
2005026182.tif 000004
【図３】
2005026182.tif 000005
【図４】
2005026182.tif 000006
【図５】
2005026182.tif 000007
【図６】
2005026182.tif 000008
【図７】
2005026182.tif 000009
【図８】
2005026182.tif 000010
【図９】
2005026182.tif 000011
【図１０】
2005026182.tif 000012
【図１１】
2005026182.tif 000013
【図１２】
2005026182.tif 000014
【図１３】
2005026182.tif 000015
【図１４】
2005026182.tif 000016
【図１５】
2005026182.tif 000017
【図１６】
2005026182.tif 000018
【図１７】
2005026182.tif 000019
【図１８】
2005026182.tif 000020
【図１９】
2005026182.tif 000021
【図２０】
2005026182.tif 000022
【図２１】
2005026182.tif 000023
【図２２】
2005026182.tif 000024
【図２３】
2005026182.tif 000025
【図２４】
2005026182.tif 000026